(57)【要約】      （修正有）【課題】切断面がフィンやフラップによって覆われる前に、液体食品殘渣物を包装容器の横シール切断面から直接に除去し、洗浄する包装充填装置を提供する。【解決手段】ウェブ状包装材料をチューブ状に成形し、チューブ内に充填パイプから液体食品を液面レベルまで充填し、液面下でチューブ横断方向にシールジョー及びカウンタージョーでチューブを横シールし、チューブを成形用フラップで挟んで予備成形し、横シール帯域でナイフで切断して予備成形容器１３を得、切断横シール帯域を折り畳んで最終形状の包装容器を製造する包装充填装置であって、折畳前で、予備成形容器の切断面に向けて、コヒーレントな洗浄水噴流を噴出する洗浄ノズル２３を有し、折畳前であって洗浄後で、予備成形容器の切断面に向けて乾燥用エアを噴出する乾燥ノズルを有する。【選択図】図２
2011051617.tif 000002
【特許請求の範囲】
【請求項１】
ウェブ状包装材料を連続的に供給し、チューブ状に成形し、包装材料の両端部で重ね合わされたチューブの縦線方向に縦シールし、垂直に下方に連続的に搬送される該チューブ状包装材料内に充填パイプから液体食品を、該充填パイプ出口上方の所定位置の液面レベルまで充填し、該液面下でチューブ横断方向にシールジョー及びカウンタージョーでチューブを挟んで引き下ろす間に横シールし、チューブを同時に成形用フラップで挟んで予備成形し、横シール帯域でナイフで切断して予備成形容器を得、切断された横シール帯域を折り畳んで最終形状の包装容器を製造する包装充填装置であって、
最終形状に該切断横シール帯域が折り畳まれる前の工程で、該予備成形容器の切断面に向けて、コヒーレントな洗浄水噴流を噴出する洗浄ノズルを有し、
最終形状に該切断横シール帯域が折り畳まれる前の工程であって、該予備成形容器の切断面が洗浄された後の工程で、該予備成形容器の切断面に向けて乾燥用エアを噴出する乾燥ノズルを有する、
ことを特徴とする包装充填装置。
【請求項２】
該予備成形容器を搬送する搬送装置を有し、該搬送装置は該予備成形容器を載せる搬送路を備え、該搬送路がＵ字状若しくは蛇行状である、請求項１記載の包装充填装置。
【発明の詳細な説明】
【技術分野】
【０００１】
この発明は、飲料などを充填して容器に包装する包装充填装置に関する。
【背景技術】
【０００２】
牛乳、ミネラルウォーター、茶、ジュース、スープ、アルコール類等の流動食品を収容する包装容器を製造する場合、ウェブ状（帯状）の包装積層材料が使用され、包装積層材料を連続的にヒートシール、超音波シール等によってシールされることにより、包装容器が形成される。例えば、包装充填装置において、包装積層材料をチューブ状に成形し、縦シール装置によって長手方向（縦方向）にシールした後、チューブの中に液体食品を充填しながら、液面下で横シール装置によって横方向にシールして切断し、枕状の原型容器を形成し、原型容器を更に所定の形状に成形して包装容器を完成させる。
【０００３】
図４は、包装充填装置の一例を示す概略斜視図である。ウェブ状の包装積層材料１は、リールの状態で包装充填装置に装填される。包装積層材料１は、紙基材、及び該紙基材の両面にポリエチレン樹脂が積層された可撓性の積層体から成り、必要に応じて紙基材とフィルムとの間にアルミニウム箔、ガスバリヤ性樹脂等から成るバリヤ層が形成され、包装容器１４の表面に相当する部分にあらかじめ外装用の印刷が施される。
【０００４】
繰り出された包装積層材料１は、搬送手段の送り装置によって連続的に搬送され、ベンディングローラ、ダンパローラ等を経て、ストリップ接合装置に送られ、ストリップ接合装置によって包装積層材料１の一方の縁部に沿ってストリップが、次のストリップを継ぎ目で継ぎながら、連続的に接合される。
【０００５】
包装積層材料１は、必要に応じて、プルタブ接合装置によってプルタブが接合されている。包装積層材料１は、殺菌槽４に送られ、殺菌槽４において過酸化水素等の殺菌液によって殺菌される。包装積層材料１は、エアナイフに送られ、エアナイフによって乾燥させられた後、チューブ状包装材料内に液体食品を無菌雰囲気で充填することを保証する無菌室の室内に送られる。包装積層材料１は、成形リング６、その他の成形リングによって徐々に変形させられてチューブ状の形状にされる。
【０００６】
チューブ状包装積層材料１は、縦シール装置の予熱手段８からのホットエアーによって予熱されて、縦方向にシールされ、充填パイプの下端から流動性食品がチューブ状包装積層材料１内に充填される。
チューブ状包装材料内に充填パイプから液体食品を所定の液面レベルまで充填する。
図４に示すように、チューブ状包装積層材料１は、下方に案内され、横シール装置に送られ、挟まれて横方向にシールされると共に、容器形状に成形され、横シールされた包装積層材料は、ナイフなどで切断されて枕状の予備成形容器１３が形成される。
【０００７】
図５に横シール装置の詳細一部断面図を示す。この態様では、液体食品が充填されたチューブ状包装材料１が、先ず、上側一対のシールジョー１０ａ及び対向ジョー１１により挟持される。包装容器１個分に相当する長さ分だけ下方に送られながら、上側一対の成形フラップ４１，４１により挟まれておおよその容器形状に成形される。横断方向に横シールして２本の横シール帯域を形成し、繋がった枕状予備成形体のシール帯域の中間をナイフ４２により切断して個々の枕状予備成形体１３に切り離す。
【０００８】
図６に示すように、チューブ状包装材料１が、液面レベル３０ａの下方で、２本の横シール帯域（フィン）１ｄ、１ｄが形成され、その中間１ｅでナイフで切断される。
図５に示すこの態様では、高速に、横シール、予備成形及び切断を行うために、二対のシールジョー及び対向ジョー、並びに、成形フラップを備え、横シール、予備成形及び切断ステップを終えた一対は、横に退避し上方に戻り、次の横シール、予備成形及び切断ステップを繰返す。
【０００９】
次いで、予備成形容器１３は、最終成形搬送装置によって搬送されて、図７に示すようにフィン１３ａ、１３ｂが頂面及び底面に折られ、次いでフラップが側壁１３ｃ及び底面１３dに折り畳まれて、最終の形状に成形され、流動性食品を収容する包装容器１４が完成する。
【先行技術文献】
【特許文献】
【００１０】
【特許文献１】特開平１０−１２９６０８号公報
【発明の概要】
【発明が解決しようとする課題】
【００１１】
上述の包装充填において、液面下で横シール部分を切断したときに、カッタナイフに液体食品が付着し、付着した液体食品が包装容器の横シール部の切断部分を汚してしまうことがある。
この課題に対して特許文献１の装置では、横シール部分を切断するカッタナイフの先端に洗浄媒体を供給する洗浄媒体供給手段を設け、カッタナイフによって横シール部分を切断したときに、洗浄媒体供給手段によって洗浄媒体を供給して、カッタナイフは直ちに洗浄する（参照：特許文献１）。
【００１２】
洗浄媒体供給手段を、カッタナイフ内部、隣接若しくは近傍の箇所に設けると、横シール装置も併設されているので、設置スペースに制限があり、構造的に複雑に、コスト的に高価になる。
包装容器の横シール切断面を直接に洗浄して付着した液体食品の残留物を直接的に除去することが、ナイフを洗浄して間接的に除去するよりも有効である。しかし、予備成形容器は、切断面のフィンが頂面及び底面に折られ、フラップが側壁及び底面に折り畳まれるので、液体食品の残留物がフィンやフラップで覆われて洗浄の邪魔になる恐れがある。
本発明は、切断面がフィンやフラップによって覆われる前に、液体食品殘渣物を包装容器の横シール切断面から直接に除去し、洗浄することができる包装充填装置を提供することを目的とする。
【課題を解決するための手段】
【００１３】
この課題を解決するこの発明の包装充填装置は、ウェブ状包装材料を連続的に供給し、チューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域でナイフで切断して予備成形容器を得、切断された横シール帯域を折り畳んで最終形状の包装容器を製造する包装充填装置であって、
最終形状に切断横シール帯域が折り畳まれる前の工程で、予備成形容器の切断面に向けて、コヒーレントな洗浄水噴流を噴出する洗浄ノズルを有し、
最終形状に切断横シール帯域が折り畳まれる前の工程であって、予備成形容器の切断面が洗浄された後の工程で、予備成形容器の切断面に向けて乾燥用エアを噴出する乾燥ノズルを有する、
ことを特徴とする。
【００１４】
この発明の好ましい態様において、予備成形容器を搬送する搬送装置を有し、搬送装置は予備成形容器を載せる搬送路を備え、この搬送路がＵ字状若しくは蛇行状である。
【発明の効果】
【００１５】
以上の本発明によれば、以下の作用機能を発揮し、有利な効果が得られる。
この発明における包装充填装置は、ウェブ状包装材料をチューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域で切断して包装容器を製造する。
液体食品が充填されたウェブ状包装材料の液面下で横シールされるので、容器内に不要な空気等が残らず、品質保持に寄与する。
【００１６】
この発明における包装充填装置は、液面下でチューブ横断方向にシールジョー及びカウンタージョーでチューブを挟んで引き下ろす間に横シールし、チューブを同時に成形用フラップで挟んで予備成形する。
【００１７】
横シール帯域でナイフで切断して予備成形容器を得、切断された横シール帯域を折り畳んで最終形状の包装容器を製造する。
横シール帯域のフィンが頂面及び底面に折られ、次いで、容器面から出た横シール帯域のフラップが側壁及び底面に折り畳まれて、最終の形状（レンガ状形状）に成形され、流動性食品を収容する包装容器が完成する。
【００１８】
この発明の特徴に於いて、最終形状に切断横シール帯域が折り畳まれる前の工程で、予備成形容器の切断面に向けて、コヒーレントな洗浄水噴流を噴出する洗浄ノズルを有する。
洗浄ノズルによって、折畳みの前の段階で切断面を洗浄して切断面に付着した液体食品殘渣物を洗い落すことができるので、折畳み後のフィンやフラップに邪魔されること無く容易に洗浄することができる。
また、コヒーレントな噴流であるので、的確に被洗浄対象に当たって切断面を洗浄することができる。
【００１９】
この発明の特徴に於いて、最終形状に切断横シール帯域が折り畳まれる前の工程であって、予備成形容器の切断面が洗浄された後の工程で、予備成形容器の切断面に向けて乾燥用エアを噴出する乾燥ノズルを有する、
乾燥ノズルによって、洗浄ノズルによって切断面が洗浄水で濡れるが、コヒーレントな噴流エアが的確に対象に当たって切断面を乾燥させることができる。
更に、この発明の好ましい態様において、ノズルが横長の切断面を走査して、被洗浄対象全体を漏れなく洗浄・乾燥することができる。
上述のように、切断面がフィンやフラップによって覆われる前に、液体食品殘渣物を包装容器の横シール切断面から直接に除去し、洗浄することができる。
【図面の簡単な説明】
【００２０】
【図１】この発明による包装充填装置例の予備成形容器の搬送の動作を概略的に説明する平面図である。
【図２】この発明による包装充填装置例の洗浄ノズルの配置を概略的に説明する側面図である。
【図３】この発明による包装充填装置例の洗浄ノズルの配置を概略的に説明する側面図である。
【図４】この発明に使用できる包装充填装置の一例を示す概略斜視図である。
【図５】包装充填装置の横シール装置を説明する断面正面図である。
【図６】包装充填装置例によって横シールされ予備成形されたチューブ状包装材料の斜視透視図である。
【図７】包装充填装置例よる予備成形容器が最終形状に折り畳まれる様子を説明する斜視図である。
【発明を実施するための形態】
【００２１】
以下、本発明の実施の形態について図面を参照しながら詳細に説明する。
この実施形態による包装充填装置は、図４に示すように、ウェブ状包装材料１をチューブ状に成形し、包装材料の両端部でチューブの縦線方向に縦シールし、垂直に下方に搬送されるチューブ状包装材料内に充填パイプから液体食品を無菌室内で、充填パイプ出口上方の所定位置の液面レベルまで充填し、図５に示すように、液面下でチューブ横断方向にシールジョー１０及びカウンタージョー１１でチューブ１を挟んで引き下ろす間に横シールし、チューブを同時に成形用フラップ４１、４１で挟んで予備成形し、横シール帯域でナイフ４２で切断して予備包装容器１３を得、最終成形装置１５で製品の液体食品充填容器１４を製造する。
【００２２】
図１に、予備成形容器１３が搬送装置によって、搬送路２０上を搬送される概略を上方から見て図示する。
チューブ状包装材料１は、横シール装置のカッタによって、個々の予備成形容器１３に切断されシュートを落下する。
搬送路２０は、シュートから最短距離で予備成形容器１３を搬送するのではなく、この態様では、Ｕ字状になっている。そのために、十分な洗浄及び乾燥のスペース及び時間を備える。
この搬送路が蛇行状であってもよい。
【００２３】
この態様の搬送路２０は、洗浄ステーション２１及び乾燥ステーション２２とからなり、それぞれのステーションで、洗浄工程及び乾燥工程が行われる。
図２に、洗浄ノズル２３の配置を概略的に説明する。搬送路２０の洗浄ステーション２１において、予備成形容器１３の切断面１３ａ、１３ｂに向けて、コヒーレントな洗浄水噴流Ａを噴出する洗浄ノズル２３を有する。
【００２４】
洗浄ノズル２３からの洗浄水Ａによって、折畳み前に、切断面１３ａ、１３ｂを洗浄して切断面に付着した液体食品殘渣物を洗い落す。折畳み後のフィンやフラップに邪魔されること無く容易に洗浄する。
また、コヒーレントな噴流Ａであるので、的確に被洗浄対象１３ａ、１３ｂに当たって切断面を洗浄する。
【００２５】
次いで、乾燥ステーション２２において、図３に示すように、予備成形容器１３の切断面１３ａ、１３ｂに向けて乾燥用エアＢを噴出する乾燥ノズル２４を有する、
乾燥ノズル２４からの乾燥用エアＢによって、洗浄ノズル２３によって切断面が洗浄水で濡れるが、コヒーレントな噴流エアBが的確に対象に当たって切断面１３ａ、１３ｂを乾燥させる。
上記の態様において、ノズル２３及び／又は２４が横長の切断面を走査して、被洗浄対象全体を漏れなく洗浄・乾燥することができる。
これらの態様に示すように、切断面がフィンやフラップによって覆われる前に、液体食品殘渣物を包装容器の横シール切断面から直接に除去し、洗浄する。
【００２６】
なお、本発明は前記実施の形態に限定されるものではなく、本発明の趣旨に基づいて種々変形させることが可能であり、それらを本発明の範囲から排除するものではない。
【産業上の利用可能性】
【００２７】
この発明は、液体食品などを包装充填する包装容器の製造に適用することができる。
【符号の説明】
【００２８】
１・・・  チューブ状包装材料
７・・・  充填パイプ
１０ａ・・・  シールジョー
１１・・・  カウンタージョー
１３・・・  予備成形容器
２０・・・  搬送路
２１・・・  洗浄ステーション
２２・・・  乾燥ステーション
２３・・・  洗浄ノズル
２４・・・  乾燥ノズル
Ａ・・・  洗浄水噴流
B・・・  乾燥エア噴流
【図１】
2011051617.tif 000003
【図２】
2011051617.tif 000004
【図３】
2011051617.tif 000005
【図４】
2011051617.tif 000006
【図５】
2011051617.tif 000007
【図６】
2011051617.tif 000008
【図７】
2011051617.tif 000009